(57)【要約】【課題】  カード等の送付に併せて行われる広告の効果を確実にすることであるカード送付用台紙を提供することである。【解決手段】  台紙を縦折り曲げ予定線４により左右に二分したときの左頁３ａ及び右頁３ｂの一方に、カード保持部２ａと、メッセージ記入部２ｂと、必要事項記入部２ｃとを備え、左頁３ａ及び右頁３ｂの他方に広告記入部２ｄを備え、台紙は、縦折り曲げ予定線４を境にして裏面側が内側となるように折り曲げられ、その折り曲げられた状態でさらに横折り曲げ予定線６ａ，６ｂを境にして折りたたまれ、縦折り曲げ予定線４を境にして裏面側が内側となるように折り曲げられた状態では、左頁３ａ及び右頁３ｂの一方の左右方向端部の一部又は全部が、左頁３ａ及び右頁３ｂの他方側から指で接触可能に露出している。【選択図】図１
2006281546.tif 000002
【特許請求の範囲】
【請求項１】
カードを分離可能に保持する保持部と、所定情報が印刷される情報掲載部とを一体に備え、カードを利用者に送付するために前記カードを前記カード保持部に保持した状態で封筒に封入されるカード送付用台紙であって、
前記情報掲載部は、前記保持部により前記カードが保持されたときにカード表面が現れる当該台紙の表面に、前記カードと関連する情報が横書きで印刷される第１の情報掲載部と、広告情報が掲載される第２の情報掲載部とを備え、
台紙を縦折り曲げ予定線により左右に二分したときの左側領域及び右側領域の一方に、前記保持部と前記第１の情報掲載部とカードの送付先が印刷される送付先印刷領域とを備え、前記左側領域及び右側領域の他方に前記第２の情報掲載部を備え、
前記台紙は、前記縦折り曲げ予定線を境にして裏面側が内側となるように折り曲げられ、その折り曲げられた状態でさらに前記縦折り曲げ予定線と交差する横折り曲げ予定線を境にして折りたたまれて前記送付先印刷領域が表面とされ、
さらに、前記縦折り曲げ予定線を境にして裏面側が内側となるように折り曲げられた状態では、前記左側領域及び前記右側領域の一方の左右方向端部の一部又は全部が、前記左側領域及び右側領域の他方側から指で接触可能に露出していることを特徴とするカード送付用台紙。
【請求項２】
前記露出が、前記縦折り曲げ予定線を境にして裏面側が内側となるように折り曲げられた状態において、前記左側領域及び右側領域の一方の左右方向端部の一部又は全部が、前記左側領域及び右側領域の他方の左右方向端部から左右方向外側に突出していることにより実現されていることを特徴とする請求項１記載のカード送付用台紙。
【発明の詳細な説明】
【技術分野】
【０００１】
本発明は、カード等を送付するためのカード送付用台紙に関する。
【背景技術】
【０００２】
従来、クレジットカード郵送時に送付される郵便物は、カード利用者（以下、「会員」と言う。）により確実に開封されることとなるため、広告効果が特に大きいと考えられ、このときにも金融商品の広告を行っている。
しかしながら、カード郵送時にただ別紙の広告を同封する方法であっては、会員は、カードが保持された台紙からカードを取り外すという行為のみを行い、広告については確認されずに廃棄されてしまうという問題がある。
【０００３】
そこで、会員は台紙からカードを取り外すという行為については確実に行うことから、台紙において広告を行うことで広告効果を高めることができると考えられ、かかる発明として、特許文献１に記載された「カード送付用台紙」に係る発明がある。
特許文献１に記載されたカード装付用台紙は、台紙を左右に二分したときの左側領域および右側領域の一方にカード保持部と、メッセージ記入部と、必要事項記入部とを備え、左側領域および右側領域の他方に広告記入部を備えている。そして、かかるカード送付用台紙は、左側領域および右側領域の縦区分線を境にして裏面側が内側となるように折り曲げられ、その折り曲げられた状態で、さらに縦区分線と交差する横区分線を境にして折りたたまれ送付先印刷領域が表面とされて封筒に封緘される。
【０００４】
かかる構成により、特許文献１に記載されたカード送付用台紙によれば、会員がカードを取り外すという動作を行う際に、カード送付用台紙に印刷されている広告がその動作を行っている者の視野に入る可能性が高いため、広告効果をより高めることが可能となる。
【特許文献１】国際公開第２００３／０９５２２３号パンフレット
【発明の開示】
【発明が解決しようとする課題】
【０００５】
確かに上記特許文献１に記載されたカード送付用台紙によれば、上述のような効果が得られるものの、本願出願人は、特許文献１に記載されたカード送付用台紙を改良することにより、会員がカードを取り外す際における、横区分線の折りを解除してカードを露出させた状態から、縦区分線の折を解除してカード保持部と広告記入部とが同一面に並ぶ状態への展開を、より確実に行わせることにより、広告をより高い確率で会員の視野に入れ、広告効果をさらに高めることが可能となる技術を開発した。
【０００６】
本発明の目的は、会員によるカード送付用台紙の展開を誘導することによって、カード等の送付に併せて行われる広告の効果を高めることである。
【課題を解決するための手段】
【０００７】
本発明のうち請求項１に係るカード送付用台紙は、カードを分離可能に保持する保持部と、所定情報が印刷される情報掲載部とを一体に備え、カードを利用者に送付するために前記カードを前記カード保持部に保持した状態で封筒に封入されるカード送付用台紙であって、
前記情報掲載部は、前記保持部により前記カードが保持されたときにカード表面が現れる当該台紙の表面に、前記カードと関連する情報が横書きで印刷される第１の情報掲載部と、広告情報が掲載される第２の情報掲載部とを備え、
台紙を縦折り曲げ予定線により左右に二分したときの左側領域及び右側領域の一方に、前記保持部と前記第１の情報掲載部とカードの送付先が印刷される送付先印刷領域とを備え、前記左側領域及び右側領域の他方に前記第２の情報掲載部を備え、
前記台紙は、前記縦折り曲げ予定線を境にして裏面側が内側となるように折り曲げられ、その折り曲げられた状態でさらに前記縦折り曲げ予定線と交差する横折り曲げ予定線を境にして折りたたまれて前記送付先印刷領域が表面とされ、
さらに、前記縦折り曲げ予定線を境にして裏面側が内側となるように折り曲げられた状態では、前記左側領域及び前記右側領域の一方の左右方向端部の一部又は全部が、前記左側領域及び右側領域の他方側から指で接触可能に露出していることを特徴とする。
【０００８】
また、本発明のうち請求項２に係るカード送付用台紙は、請求項１に記載のカード送付用台紙において、前記露出が、前記縦折り曲げ予定線を境にして裏面側が内側となるように折り曲げられた状態において、前記左側領域及び右側領域の一方の左右方向端部の一部又は全部が、前記左側領域及び右側領域の他方の左右方向端部から左右方向外側に突出していることにより実現されていることを特徴とする。
【０００９】
また、請求項１又は２に記載のカード送付用台紙において、前記露出を、前記左側領域及び右側領域の前記保持部が備えられている領域の上下角部の一方又は両方を切り欠いた角部切り欠きを備えることにより実現することも可能である。
また、請求項１又は２に記載のカード送付用台紙において、前記露出を、前記左側領域及び右側領域の前記保持部が備えられている領域の左右方向端部に、その一部を切り欠いた側部切り欠きを備えることにより実現することも可能である。
【００１０】
また、請求項１又は２に記載のカード送付用台紙において、前記露出を、前記角部切り欠き及び側部切り欠きの両方を備えることにより実現することも可能である。
さらに、請求項１又は２に記載のカード送付用台紙において、前記台紙は、前記縦折り曲げ予定線を境にして裏面側が内側となるように２つに折り曲げられ、その折り曲げられた状態でさらに前記縦折り曲げ予定線と交差する２本の横折り曲げ予定線を境にして３つに折りたたまれる構成とし、前記露出を、前記側部切り欠きが、前記左側領域及び右側領域の前記保持部が備えられている領域の左右方向端部であって、前記横折り曲げ予定線により区切られた３つの領域のうち前記保持部が備えられている領域に備えることにより実現することも可能である。
【発明の効果】
【００１１】
本願発明によれば、保持部と情報掲載部とが一体として構成されることにより、広告情報を、高い確率でカードを分離しようとする会員の視野に入れることが可能となる。
また、第１の情報掲載部と第２の情報掲載部とが同一面に備えられる構成により、カードと関連する情報を読もうとする会員に対して、高い確率で広告情報を確認させることが可能となる。
また、保持部及び第１の情報掲載部と第２の情報掲載部とが左右に並んで備えられ、かつ文章が横書きで記載される構成により、第１の情報掲載部の文章を読む会員の目線を自然に広告に移させることが可能となる。
【００１２】
さらに、台紙は、縦折り曲げ予定線を境にして裏面側が内側となるように折り曲げられた状態において、左側領域及び前記右側領域の一方の左右方向端部の一部又は全部が、左側領域及び右側領域の他方側から指で接触可能に露出するようになっている構成となっているため、カードを分離しようとする会員が、露出部を目視することにより又は指でふれることにより台紙が折りたたまれていることに気付き、横折り曲げ予定線の折りを解除してカードを露出させた状態から、縦折り曲げ予定線の折を解除してカード保持部と広告記入部とが同一面に並ぶ状態への展開を誘導することができ、より高い確率で広告情報を会員の視野に入れさせることが可能となる。
【発明を実施するための最良の形態】
【００１３】
以下、図を参照して本発明に係るカード等を送付するためのカード送付用台紙（以下、「広告付台紙１ａ」と言う。）の実施の形態を詳細に説明する。
図１（ａ）は、本発明に係る広告付台紙の第一の実施形態の構成を示す平面図である。図１（ｂ）及び（ｃ）は、広告付台紙１ａを折りたたむ態様を示す図である。
広告付台紙１ａは、図１（ａ）に示すように、広告付台紙１ａにおける左右方向の略中心部から上下方向に延びる縦折り曲げ予定線４により区分けされた、左頁（左側領域）３ａと右頁（右側領域）３ｂとから構成される。また、左頁３ａ及び右頁３ｂは、縦折り曲げ予定線４と直交する２本の横折り曲げ予定線６ａ及び６ｂにより、上段、中段及び下段に区分けされる。
【００１４】
左頁３ａは、下側角部周辺が半径７ｍｍの１／４円形状に切断されることにより形成された角部切り欠き５を備えている。この場合において、角部切り欠き５の半径は、指がかけられ又は視覚的に注意を引くことができる大きさに適宜設定することが可能であるが、５ｍｍから１５ｍｍの間で設定することが好ましく、また、その形状は、三角形状又は四角形状等適宜変更することができる。さらに、角部切り欠き５は、左頁３ａの上側角部のみ又は上下角部の両方に備えても構わない。
【００１５】
右頁３ｂは、左右方向の長さが、左頁３ａの左右方向の長さaに対してα（本実施形態においては３ｍｍ）だけ長く構成されている。ここで、αの値は、視覚的に又は指で触ることにより右頁３ｂの存在を気付かせ、また、広告付台紙１ａの展開の際の指がかりとするために必要な大きさに適宜設定することが可能であるが、２ｍｍから１０ｍｍの間で設定することが好ましい。
【００１６】
そして、広告付台紙１ａは、期限の更新等のために新しく送付されるカードを保持するカード保持部（保持部）２ａと、カードの送付先あるいはクレジットカード会社等から会員に対する挨拶等のメッセージを記入するためのメッセージ記入部（送付先印刷領域）２ｂと、カードの利用規約等、必要事項が記入される必要事項記入部（第１の情報掲載部）２ｃと、金融商品の広告が記入される広告記入部（第２の情報掲載部）２ｄとを含んで構成される。
【００１７】
広告付台紙１ａにおいて、カード保持部２ａ、メッセージ記入部２ｂ及び必要事項記入部２ｃは、左頁３ａに配置され、広告記入部２ｄは、右頁３ｂに配置される。
また、左頁３ａにおいて、メッセージ記入部２ｂは上段に、カード保持部２ａは中段に、必要事項記入部２ｃは下段にそれぞれ配置されている。
そして、広告付台紙１ａは、郵送時に以下のように折りたたまれる。
【００１８】
広告付台紙１ａにおいて、初めに、図１（ｂ）に示すように、左頁３ａと右頁３ｂの縦折り曲げ予定線４において、広告付台紙１の表面（カード保持部２ａにより保持されたカードが表れる面）が表出するように２つに折りたたまれる。
次いで、左頁３ａ及び右頁３ｂの上段、中段及び下段の境界につけられた横折り曲げ予定線６ａ，６ｂにおいて、図１（ｃ）に示すように、さらに３つに広告付台紙１ａが折りたたまれる。このとき、横折り曲げ予定線６ａは山折りに、横折り曲げ予定線６ｂは谷折りとされる。
このように折りたたむことにより、折りたたまれた状態でメッセージ記入部２ｂが表面に現れ、カード保持部２ａは３つ折りの内側に折り込まれることとなる。
【００１９】
広告付台紙１ａを受領した会員は、カードを取り外すために、まず、横折り曲げ予定線６ａ，６ｂを境として３つに折りたたまれた図１（ｃ）の状態から、横折り曲げ予定線６ａ及び６ｂにおける折りを解除し、縦折り曲げ予定線４を境として２つに折りたたまれた図１（ｂ）の状態に展開してカードを露出させる。かかるカードを露出した状態において、会員はカードを右手で取り外すべく左手で広告付台紙１ａの左右方向の端辺側を把持することとなる。この場合において、右頁３ｂはその左右方向の長さが左頁３ａの左右方向の長さaに対してαだけ長く構成されているため、右頁３ｂの端辺が、左頁３ａの左右方向の端辺から長さαだけ外側に突出した状態となっている。また、左頁３ａは、下側角部が切断されることにより形成された角部切り欠き５を備えているため、右頁３ｂの下側角部周辺が、左頁３ａの角部切り欠き５から露出することとなる。
【００２０】
そして、広告付台紙１ａを受領した会員は、カード保持部２ａからカードを取り外そうとするときに、左頁３ａの左右方向の端辺から突出した右頁３ｂの端辺及び角部切り欠き５を、目視することにより又は指で触れることにより確認し、その結果、会員は左頁３ａの下側に折りたたまれている右頁３ｂの存在に気付くこととなる。そして、このとき右頁３ｂはまだ左頁３ａの下側に折りたたまれている状態であるため、会員は右頁３ｂに掲載されている情報の内容が広告であることについては知得していない。よって、カード保持部２ａと同一面の必要事項記入部２ｃに記載された情報を確認した会員に対して、右頁３ｂに掲載された情報の内容に対する興味を強く喚起することができる。この場合において、右頁３ｂの端辺又は角部切り欠き５に指を掛けることにより右頁３ａと左頁３ｂの折りたたみを容易に解除することができるため、さらに強く右頁３ｂの展開を誘導することが可能となる。
【００２１】
そして、会員は、広告付台紙１ａを、縦折り曲げ予定線４を境として２つに折りたたまれた図１（ｂ）の状態から、カード保持部２ａと広告記入部２ｄとが同一面に表示される図１（ａ）の状態に展開して情報の内容を確認することにより、右頁３ｂに記入された情報の内容が金融商品の広告であることを初めて知ることとなる。これにより、より高い確率で広告情報を会員の視野に入れさせることが可能となり、広告の効果をより高めることが可能となる。
【００２２】
次に、図を参照して本発明に係るカード送付用台紙の別の実施の形態（以下、「広告付台紙１０」と言う。）を詳細に説明する。
図２は、本発明に係る広告付台紙の第二の実施形態を示す平面図である。
広告付台紙１０の基本的構成は、広告付台紙１ａと同様であるため、同一の構成については説明を省略する。
【００２３】
広告付台紙１０は、図２に示すように、広告付台紙１ａにおける角部切り欠き５の代わりに、左頁３ａの横折り曲げ予定線６ａと横折り曲げ予定線６ｂとの間の中段領域部の左右方向端辺が、半径７ｍｍの半円形状に切断されることにより形成された側部切り欠きを７を備えている。この場合において、側部切り欠き７の半径は、指がかけられ又は視覚的に注意を引くことができる大きさに適宜設定することが可能であるが、５ｍｍから１５ｍｍの間で設定することが好ましく、また、その形状は、三角形状又は四角形状等適宜変更することができる。さらに、本実施形態においては、側部切り欠き７は、左頁３ａの中段領域部に備えられているが、左頁３ａの上端領域部又は下段領域部に備えてもよい。
【００２４】
そして、広告付台紙１０は、広告付台紙１ａと同様に折りたたまれ、また、会員により展開されることとなる。この場合において、広告付台紙１０は、左頁３ａの中段に側部切り欠き７を備えているため、横折り曲げ予定線６ａ，６ｂを境として３つに折りたたまれた状態から、横折り曲げ予定線６ａ及６ｂにおける折りを解除し、縦折り曲げ予定線４を境として２つに折りたたまれた状態に展開して、カード保持部２ａを露出した状態において、カード保持部２ａと同一面かつ同一領域に側部切り欠き７が備えられていることとなる。
【００２５】
これにより、会員がカードを取り外す際において、カード保持部２ａの真横に設けられた側部切り欠き７が視覚に入ることによって、より高い確率で左頁３ａの下側に折りたたまれている右頁３ｂの存在を気付かせることができるとともに、右頁３ｂに掲載されている情報の内容に対する興味を喚起することができ、さらに、側部切り欠き７に指を掛けることにより右頁３ａと左頁３ｂの折りたたみを容易に解除することが可能となる。
【００２６】
さらに、図を参照して本発明に係るカード送付用台紙の第三の実施の形態（以下、「広告付台紙１１ａ」と言う。）を詳細に説明する。
図３（ａ）は、本発明に係る広告付台紙の第三の実施形態の構成を示す表面図である。図３（ｂ）及び（ｃ）は、広告付台紙１１ａを折りたたむ態様を示す図である。図４は、広告付台紙１１ａの変形例を示す図である。
【００２７】
広告付台紙１１ａの基本的構成は、広告的台紙１ａと同様であるため、同一の構成については同一の符号を付して説明を省略する。
広告付台紙１１ａの左頁３ａは、図３（ａ）に示すように、左右方向の長さが、右頁３ｂの左右方向の長さaに対してα（本実施形態においては３ｍｍ）だけ長く構成されている。ここで、αの値は、指で触ることにより右頁３ｂの存在を気付かせ、また、広告付台紙１１ａの展開の際の指がかりとするために必要な大きさに適宜設定することが可能であるが、２ｍｍから１０ｍｍの間で設定することが好ましい。
【００２８】
また、広告付台紙１１ａは、右頁３ｂの横折り曲げ予定線６ａと横折り曲げ予定線６ｂとの間の中段領域部の左右方向端辺全体が、左右方向に３０ｍｍ切断されることにより形成された側部切り欠きを１２を備えている。この場合において、側部切り欠き１２の左右方向の長さは、適宜設定することが可能であるが、１５ｍｍから４０ｍｍの間で設定することが好ましい。
そして、広告付台紙１１ａは、図３（ｂ）及び（ｃ）に示すように、上記第一の実施形態における広告付台紙１ａと同様に折りたたまれる。
【００２９】
そして、広告付台紙１１ａを受領した会員は、カードを取り外すために、横折り曲げ予定線６ａ，６ｂを境として３つに折りたたまれた図３（ｃ）の状態から、横折り曲げ予定線６ａ及び６ｂにおける折りを解除し、縦折り曲げ予定線４を境として２つに折りたたまれた図３（ｂ）の状態に展開してカードを露出させる。この状態において、会員はカードを右手で取り外すべく左手で広告付台紙１１ａの左右方向の端辺側のカード保持部２ａの横を把持することとなる。この場合において、広告付台紙１１ａは、右頁３ｂの中段に側部切り欠き１２を備えているため、右頁３ｂについては把持されることなく、会員は左頁３ａのみを把持する状態となる。したがって、会員がカード保持部２ａからカードを取り外そうとして、左手でカード保持部２ａの横を把持すると、右頁３ｂに重力が作用することにより縦折り曲げ予定線４における折りたたみが解除され、右頁３ｂが半分程度展開された状態となる。
【００３０】
これにより、会員がカードを取り外す際において、より高い確率で左頁３ａの下側に折りたたまれている右頁３ｂの存在を気付かせることができるとともに、右頁３ｂに掲載されている情報の内容に対する興味を喚起することが可能となる。
また、会員による広告付台紙１１ａを把持する位置が側部切り欠き１２からずれた場合においても、広告付台紙１１ａの左頁３ａは、左右方向の長さが、右頁３ｂの左右方向の長さaに対してαだけ長く構成されているため、会員に対して広告付台紙１１ａを把持する際の指の感覚により右頁３ｂの存在を気付かせることができる。
なお、側部切り欠き１２は、図４に示すように、広告付台紙１１ａにおいて上段部、中段部及び下段部の全てに備える構成としてもよい。
【００３１】
以上、本発明の実施形態及び変形例について説明してきたが、本発明はこれに限定されず、種々の変更、改良を行うことができる。
例えば、本発明に係る広告付台紙は、上記第一、第二及び第三の実施形態並びに変形例において、広告付台紙１ａ，１０及び１１ａの右側領域３ａ及び左側領域３ｂに配置された各構成要素を逆の領域に配置して構成することも可能である。
【００３２】
図５（ａ）は、上記第一の実施形態における広告付台紙１ａの変形例である広告付台紙１ｂの構成を示す平面図である。図５（ｂ）は、広告付台紙１ｂを折りたたむ態様を示す図である。
本変形例に係る広告付台紙１ｂにおいては、図５（ａ）に示すように、広告付台紙１ａにおける、カード保持部２ａ、メッセージ記入部２ｂ及び必要事項記入部２ｃを右頁３ｂに、広告記入部２ｄを、左頁３ａに配置するとともに、角部切り欠き５を右頁３ｂの上下角部の一方又は両方に備えることにより構成している。そして、広告付台紙１ｂは、広告付台紙１ａと同様に折りたたまれる。
【００３３】
図６（ａ）は、上記第三の実施形態における広告付台紙１１ａの別の変形例である広告付台紙１１ｂの構成を示す平面図である。図６（ｂ）は、広告付台紙１１ｂを折りたたむ態様を示す図である。
本実変形例に係る広告付台紙１１ｂにおいては、図６（ａ）に示すように、広告付台紙１１ａにおける、カード保持部２ａ、メッセージ記入部２ｂ及び必要事項記入部２ｃを右頁３ｂに、広告記入部２ｄを、左頁３ａに配置するとともに、側部切り欠き１２を左頁３ａの横折り曲げ予定線６ａと横折り曲げ予定線６ｂとの間の中段領域部の左右方向端辺全体に形成することにより構成している。そして、広告付台紙１１ｂは、広告付台紙１１ａと同様に折りたたまれる。
【００３４】
さらに、広告付台紙１ｂ又は１１ｂを、左利きの会員に対してカードを送付する際に使用し、広告付台紙１ａ又は１１ａを、右利きの会員に対してカードを送付する際に使用する、という具合に、カードを送付する会員の利き腕に応じて使用する台紙を使い分けてもよい。
その場合、カード会社は、事前に行った会員に対するアンケート等による情報に基づいて、右利きの会員に対しては広告付台紙１ａ又は１１ａを、左利きの会員に対しては広告付台紙１ｂ又は１１ｂを送付する、ということになる。
【００３５】
広告付台紙１ｂを受領した会員は、広告付台紙１ｂを広告付台紙１ａの場合と同様に展開するが、図５（ｂ）のカードが露出するように展開した状態において、左利きの会員は、左手でカードを取り外すべく右手で広告付台紙１ｂの左右方向の端辺側を把持する。そして、この状態においては、左頁３ａの端辺が右頁３ｂの左右方向の端辺から長さαだけ外側に突出しているとともに、左頁３ａの下側角部周辺が、右頁３ｂの角部切り欠き５から露出することとなる。よって、広告付台紙１ｂを受領した場合についても広告付台紙１ａを受領した場合と同様に、右頁３ｂの左右方向の端辺から突出した左頁３ａの端辺及び角部切り欠き５により、左頁３ａの展開を誘導することが可能となる。
【００３６】
また、広告付台紙１１ｂを受領した会員は、広告付台紙１１ｂを広告付台紙１１ａの場合と同様に展開するが、左利きの会員が、左手でカードを取り外すべく右手で広告付台紙１１ｂの左右方向の端辺側のカード保持部２ａの横を把持した状態において、側部切り欠き１２が形成されていることにより、左頁３ａが半分程度展開された状態となるため、左頁３ａの展開を誘導することが可能となる。
【００３７】
以上から、右利きの会員に好適な右利き用カード送付用台紙と、左利きの会員に好適な左利き用カード送付用台紙とを用意する一方で、会員の利き腕に関する情報を保存しておき、カードを送付する会員の利き腕に応じて、そのカードの送付に使用するカード送付用台紙を、右利き用カード送付用台紙及び左利き用カード送付用台紙から選択し、その選択された台紙を使用してその会員にカードを送付するというカードの送付方法、カード送付システムが提供される。この場合、右利き用カード送付用台紙としては、請求項１又は請求項２に記載の発明においてカード保持部を左側領域に設けたものが適用可能であり、左利き用カード送付用台紙としては、請求項１又は請求項２に記載の発明においてカード保持部を右側領域に設けたものが適用可能である。
【図面の簡単な説明】
【００３８】
【図１】本発明に係る広告付台紙の第一の実施形態の構成を示す平面図である。
【図２】本発明に係る広告付台紙の第二の実施形態を示す平面図である。
【図３】本発明に係る広告付台紙の第三の実施形態を示す図である。
【図４】広告付台紙１１ａの変形例を示す図である。
【図５】広告付台紙１ａの変形例を示す図である。
【図６】広告付台紙１１ａの別の変形例を示す平面図である。
【符号の説明】
【００３９】
１ａ    広告付台紙
１ｂ    広告付台紙
２ａ    カード保持部
２ｂ    メッセージ記入部
２ｃ    必要事項記入部
２ｄ    広告記入部
３ａ    左頁
３ｂ    右頁
４      縦折り曲げ予定線
５      角部切り欠き
６ａ    横折り曲げ予定線
６ｂ    横折り曲げ予定線
７      側部切り欠き
１０    広告付台紙
１１ａ  広告付台紙
１１ｂ  広告付台紙
１２    側部切り欠き
【図１】
2006281546.tif 000003
【図２】
2006281546.tif 000004
【図３】
2006281546.tif 000005
【図４】
2006281546.tif 000006
【図５】
2006281546.tif 000007
【図６】
2006281546.tif 000008